(57)【要約】【課題】  電源を不要とした加温型のマッサージ器であって、使い勝手が良く体裁の良いものの提供。【解決手段】  本体１の内部にノック機構４を有する燃焼体保持機構５を設けると共に、本体１の先端に回転ヘッド２を回転自在に設け、その回転ヘッド２に貫通口６を形成する。そして、燃焼体保持機構５に棒状燃焼体３を保持させ、棒状燃焼体３の燃焼と共にそれを順次回転ヘッド２側に移動させる。【選択図】        図２
2015092925.tif 000002
【特許請求の範囲】
【請求項１】
外周に握り部(1a)を有する本体(1)と、
その本体(1)の先端に、その軸線の周りに回転自在に取付けた中空の回転ヘッド(2)と、
その本体(1)の内部に設けられ、棒状燃焼体(3)の外周を保持すると共に、その棒状燃焼体(3)の先端部を前記回転ヘッド(2)内に突出させ且つ、棒状燃焼体(3)を順次先端側に繰り出すノック機構(4)を有する燃焼体保持機構(5)と、を具備し、
前記回転ヘッド(2)は、その外周に空気供給用の貫通口(6)を有するマッサージ器。
【請求項２】
請求項１に記載のマッサージ器において、
その回転ヘッド(2)は、その先端側が略砲弾形に形成され、その先端部が滑らかに形成されて、そこにツボ押し端(2a)を有し、
その回転ヘッド(2)の貫通口(6)が軸線方向に長円に形成され且つ、その回転ヘッド(2)の周方向に等間隔に離間して偶数の貫通口(6)が設けられたマッサージ器。
【請求項３】
請求項１または請求項２に記載のマッサージ器において、
その回転ヘッド(2)は、その前ヘッド部(2b)と後ヘッド部(2c)とが着脱自在に形成され、前ヘッド部(2b)を分離して、棒状燃焼体(3)に着火できるように構成されたマッサージ器。
【請求項４】
請求項１〜請求項３のいずれかに記載のマッサージ器において、
その棒状燃焼体(3)が線香であるマッサージ器。
【請求項５】
請求項４に記載のマッサージ器において、
前記線香が、アロマオイルを混入したものであるマッサージ器。
【発明の詳細な説明】
【技術分野】
【０００１】
本発明は、健康促進や美容のために用いるマッサージ器に関し、特に回転ヘッドを有すると共に、そのヘッド内に加温装置を備えたものに関する。
【背景技術】
【０００２】
下記特許文献１及び特許文献２には、把持部の先端側に回転ローラを設け、その回転ローラの内部に電気ヒータや白熱ランプを内装し、回転ローラを加温してマッサージ効果を高めると共に、皮膚の接触感を向上させるものが提案されている。
【先行技術文献】
【特許文献】
【０００３】
【特許文献１】特許第４７７８１１２号公報
【特許文献２】特開平６−２８５１２９号公報
【発明の概要】
【発明が解決しようとする課題】
【０００４】
従来の加温部を有するローラ付きのマッサージ器は、内部に電源を必要とする。
また、回転ローラは単純な筒状に形成され、デザインが単純で面白味のないものであった。
そこで、本発明はこれらの問題点を解決することを課題とする。
【課題を解決するための手段】
【０００５】
請求項１に記載の本発明は、外周に握り部(1a)を有する本体(1)と、
その本体(1)の先端に、その軸線の周りに回転自在に取付けた中空の回転ヘッド(2)と、
その本体(1)の内部に設けられ、棒状燃焼体(3)の外周を保持すると共に、その棒状燃焼体(3)の先端部を前記回転ヘッド(2)内に突出させ且つ、棒状燃焼体(3)を順次先端側に繰り出すノック機構(4)を有する燃焼体保持機構(5)と、を具備し、
前記回転ヘッド(2)は、その外周に空気供給用の貫通口(6)を有するマッサージ器である。
【０００６】
請求項２に記載の本発明は、請求項１に記載のマッサージ器において、
その回転ヘッド(2)は、その先端側が略砲弾形に形成され、その先端部が滑らかに形成されて、そこにツボ押し端(2a)を有し、
その回転ヘッド(2)の貫通口(6)が軸線方向に長円に形成され且つ、その回転ヘッドの周方向に等間隔に互いに離間して複数の貫通口(6)が設けられたマッサージ器である。
請求項３に記載の本発明は、請求項１または請求項２に記載のマッサージ器において、
その回転ヘッド(2)は、その前ヘッド部(2b)と後ヘッド部(2c)とが着脱自在に形成され、前ヘッド部(2b)を分離して、棒状燃焼体(3)に着火できるように構成されたマッサージ器である。
【０００７】
請求項４に記載の本発明は、請求項１〜請求項３のいずれかに記載のマッサージ器において、
その棒状燃焼体(3)が線香であるマッサージ器である。
請求項５に記載の本発明は、請求項４に記載のマッサージ器において、前記線香が、アロマオイルを混入したものであるマッサージ器である。
【発明の効果】
【０００８】
本発明のマッサージ器は、本体１の内部に、棒状燃焼体３の外周を保持するノック機構４を有する燃焼体保持機構５を有し、その棒状燃焼体３を回転ヘッド２内に突出させるものである。そのため、電源を不要として、棒状燃焼体３により回転ヘッド２を加温し、マッサージ効果を高めることができる。そして、棒状燃焼体３の燃焼に伴い、ノック機構４により、棒状燃焼体３を順次、回転ヘッド２内に繰り出し、その加温を連続することができる。
【０００９】
請求項２に記載の発明のように、回転ヘッド２を略砲弾形に形成し、その先端部を滑らかにして、そこにツボ押し端2aを設けた場合には、ツボ押しと、ローリングマッサージとの両者を行うことができる。さらには、外観が美しく体裁がよいと共に、あらゆる部分にフィトし、マッサージ効果の高いものとなる。
さらに回転ヘッド２の貫通口６を長円に且つ、周方向に180度離間して一対設けることにより、燃焼用空気を容易に内部に供給すると共に、その排気および燃焼灰を容易に排出することができる。
【００１０】
請求項３に記載の発明のように、その回転ヘッド２を、前ヘッド部2bと後ヘッド部2cから構成し、前ヘッド部2bを分離して、棒状燃焼体３に着火できるようにすることができる。それにより、取り扱い易いマッサージ器となる。
請求項４に記載の発明のように、棒状燃焼体３を線香とした場合、その棒状燃焼体３を安価に入手できると共に、その香りを楽しむことができる。
上記構成において、請求項５に記載のように、前記線香に、天然のアロマオイルを混入し場合にはアロマセラピィ効果がある。
【図面の簡単な説明】
【００１１】
【図１】本発明のマッサージ器の正面図。
【図２】同マッサージ器の縦断面図。
【図３】同マッサージ器の要部断面図であって、棒状燃焼体３の繰り出し前の状態を示す。
【図４】同マッサージ器の要部断面図であって、棒状燃焼体３の繰り出し直後の状態を示す。
【図５】同マッサージ器の回転ヘッド２の断面図。
【図６】同使用状態を示す説明図。
【図７】棒状燃焼３の終端の取出し説明図。
【発明を実施するための形態】
【００１２】
次に、図面に基づいて本発明の実施の形態につき説明する。
このマッサージ器は、本体１とその先端に回転自在に設けた中空の回転ヘッド２と、本体１の内部に設けられた燃焼体保持機構５とを具備する。その燃焼体保持機構５はノック機構４を有する。
回転ヘッド２は、外周に空気供給用の長円の貫通口６を軸線方向に有する。その貫通口６は周方向に180度離間して一対設けられている。なお、90度ごとに、四つの貫通口６を設けてもよい。さらには、六つの貫通口６を周方向に等間隔に配置してもよい。その本体１は樹脂製で筒状に形成され、その外周が握り部1aを構成する。本体１の先端部内面には、段付きの筒状の主軸12の後端が螺着されている。そしてこの主軸12の外周にニードルベアリング８を介して、回転ヘッド２の後ヘッド部2cが回転自在に被嵌されている。
なお、ニードルベアリング８は管状のインナーレースとアウターレースとからなり、主軸12の外周に圧入される。主軸12の先端には、スラストワッシャ14を介してブレーキチャック15が挿入され、その中間部外周が主軸12の先端部に螺着される。
【００１３】
なお、スラストワッシャ14とニードルベアリング８との間にはベアリング用シール13が挿入される。このベアリング用シール13は、後述する棒状燃焼体３の煙がニードルベアリング８に浸入することを防止する。ブレーキチャック15は、その後端部のみに120度毎にスリットが形成され、棒状燃焼体３を把持する。
そして後ヘッド部2cの先端部には、図２に示す如く、回転ヘッド２の前ヘッド部2bの後端部が螺着される。そして、前ヘッド部2bと後ヘッド部2cとからなる回転ヘッド２が、本体１に対して回転自在に取り付けられている。前ヘッド部2bは、略砲弾型に形成されると共に、その先端部に、滑らかな断面弧状の曲面からなるツボ押し端2aが設けられている。
【００１４】
次に、本体１の内部には後端にノック機構４を有する燃焼体保持機構５が内装されている。燃焼体保持機構５は筒状に形成され、その先端部に３つのスリット21が軸線方向に設けられ、各スリット21が周方向に120度毎に形成されて、チャク部10を構成する。燃焼体保持機構５の後端は、図２に示す如く、 ノック機構４の先端に当接する。燃焼体保持機構５の中間部には、環状凸部19が形成され、そこに圧縮スプリング９の後端が着座する。圧縮スプリング９の先端は、バネ座20の後端に着座し、バネ座20はチャックスリーブ11の後端に圧接する。チャックスリーブ11はリング状に形成され、その内周がチャック部10の後端のテーパーに接離自在に圧接する。チャックスリーブ11の先端部外周には、段付きの凹陥部が形成され、その凹陥部の立ち上がり壁が主軸12の第１ストッパ部７に着脱自在に着座する。
【００１５】
圧縮スプリング９の外周には、スプリングケース18が被嵌され、その後端部内周に段付きに第2ストッパ部16が設けられ、環状凸部19の後端部が第2ストッパ部16に接離自在に着座する。そして本体１の後端にノック機構４の先端部が軸線方向に出入り自在に嵌着され、その先端が燃焼体保持機構５の後端に接触する。
燃焼体保持機構５は、その内部に棒状燃焼体３を収納しノック機構４を押すことにより、棒状燃焼体３を軸線方向前方に順次一定長さ移動させる。その棒状燃焼体３として太めの線香を用いることができる。その線香には、天然のアロマオイルを混入することにより、燃焼時に、アロマテラピー効果を得ることができる。
【００１６】
（作用）
次に、本発明のマッサージ器の使用方法につき述べる。
先ず、回転ヘッド２の前ヘッド部2bを後ヘッド部2cに対して左回転しその螺着部を取り外す。次に、ノック機構４を押圧し、燃焼体保持機構５を図において左方に移動させ、そのチャック部10の外周に取り付けたチャックスリーブ11を主軸12の第１ストッパ部７に当接させる。すると、チャックスリーブ11はチャック部10の外周から相対的に後方に移動し、そのチャック部10が半径方向外側に広がり、開放される。そこで、棒状燃焼体３をブレーキチャック15の先端から燃焼体保持機構５のチャック部10に挿入する。そして棒状燃焼体３の先端部が、ブレーキチャック15から突出するように位置させる。次いで、ノック端17の押圧を開放し、それを後方に位置させる。すると燃焼体保持機構５が後退し、そのチャック部10の外周にチャックスリーブ11が圧接し、圧縮スプリング９の作用によりチャック部10が半径方向の中心側に縮小し、棒状燃焼体３の外周を把持する。
【００１７】
そこで、棒状燃焼体３の先端部を着火する。
次いで、後ヘッド部2cの先端に前ヘッド部2bを螺着締結する。すると、前ヘッド部2bの貫通口６から空気が進入し、棒状燃焼体３を燃焼させ、回転ヘッド２を加温し、その排気は貫通口６から放出される。
棒状燃焼体３としては、直径３ｍｍ程度の太めの市販の線香が選択される。その線香の煙は貫通口６より放出され、その香りが周囲に広がる。棒状燃焼体３は時間と共に燃焼し、その先端部が灰になる。その灰は、貫通口６から外部に放出することができる。棒状燃焼体３の先端部が燃焼するにつれて、ノック機構４のノック端17を先端側に押圧する。すると、図４に示す如く、燃焼体保持機構５が図において左方に移動し、チャックスリーブ11が第１ストッパ部７に当接して、チャック部10の圧着を開放する。このとき棒状燃焼体３は、ブレーキチャック15に保持される。
【００１８】
次いで、ノック端17のノック機構４の押圧を開放すると、燃焼体保持機構５は図において右方に移動する。このとき、棒状燃焼体３はブレーキチャック15に保持されているため、燃焼体保持機構５の右移動に伴って棒状燃焼体３が同方向に移動することはない。
このようにして、棒状燃焼体３の燃焼と共にそれを順次左方に移動させる。この燃焼体保持機構５は、シャープペンシルの芯の繰り出し機構と近似する。次に、棒状燃焼体３が完全に燃焼すると、その最後端部が残部としてブレーキチャック15に保持される。そこで、ノック端17の端面に穿設された貫通孔に図７に示す如く、突き棒を挿入して、残部を突き出す。
なお、棒状燃焼体３はこの例ではブレーキチャック15の先端側から挿入したが、それに代えてシャープペンシルと同様に、燃焼体保持機構５の後端側から挿入することも可能である。
なお、本発明は上記実施例に限定されるものでは勿論なく、必要に応じて各種変形が可能である。また、回転ヘッド２の先端には滑らかな局面からなるツボ押し端2aが設けられ、その先端を人体の各種ツボに押し当てて、刺激することができる。
【符号の説明】
【００１９】
１  本体
1a  握り部
２  回転ヘッド
2a  ツボ押し端
2b  前ヘッド部
2c  後ヘッド部
３  棒状燃焼体
４  ノック機構
５  燃焼体保持機構
【００２０】
６  貫通口
７  第１ストッパ部
８  ニードルベアリング
９  圧縮スプリング
10  チャック部
11  チャックスリーブ
12  主軸
13  ベアリング用シール
【００２１】
14  スラストワッシャ
15  ブレーキチャック
16  第２ストッパ部
17  ノック端
18  スプリングケース
19  環状凸部
20  バネ座
21  スリット
【図１】
2015092925.tif 000003
【図２】
2015092925.tif 000004
【図３】
2015092925.tif 000005
【図４】
2015092925.tif 000006
【図５】
2015092925.tif 000007
【図６】
2015092925.tif 000008
【図７】
2015092925.tif 000009